(57)【要約】【課題】初期表示した地図画像の一部領域が選択された場合に、当該領域について有用性のある地図情報を提供する。【解決手段】地図情報提供装置は、初期表示用の地図画像の一部領域を拡大した地図画像である詳細地図画像に対して、初期表示用の地図画像にない地図情報を含めるようにする。これにより、初期表示用の地図画像から詳細地図画像が選択された場合に、詳細地図画像には、初期表示用の地図画像にはない地図情報が含まれているため、有用性のある地図情報を提供できる。【選択図】図１
2008165033.tif 000002
【特許請求の範囲】
【請求項１】
端末装置とネットワークを介して通信可能に接続され、地図情報を提供する地図情報提供装置であって、
地図情報を記憶する地図情報記憶手段と、
前記地図情報に基づいて、道路形状を有する広域地図画像を含む所定ファイル形式の広域地図ファイルを生成する広域地図生成手段と、
前記地図情報に基づいて、前記広域地図画像を分割した詳細地図画像を含む所定ファイル形式の詳細地図ファイルを生成する詳細地図生成手段と、
前記広域地図ファイル及び前記詳細地図ファイルを記憶する地図ファイル記憶手段と、
前記端末装置の取得要求に応じて、前記広域地図ファイル及び前記詳細地図ファイルを送信する地図ファイル送信手段と、を備え、
前記詳細地図生成手段は、前記広域地図画像にない前記地図情報を詳細地図画像に含めることを特徴とする地図情報提供装置。
【請求項２】
前記詳細地図生成手段は、前記詳細地図画像の表示領域の外側の所定範囲内に、追加対象物がある場合、前記詳細地図画像の表示領域に前記追加対象物を示す追加対象物情報を含むように調整することを特徴とする請求項１に記載の地図情報提供装置。
【請求項３】
前記追加対象物情報は、道路の分岐、交差点及びランドマークを含むことを特徴とする請求項２に記載の地図情報提供装置。
【請求項４】
前記地図情報提供装置は、所定のネットワークを介して交通情報提供装置と接続されており、
前記交通情報提供装置から交通情報を取得する交通情報取得手段をさらに備え、
前記詳細地図生成手段は、前記交通情報に基づいて、前記詳細地図画像に渋滞領域及び混雑領域を付加し、
前記追加対象物は、前記渋滞領域又は前記混雑領域に該当する道路を含むことを特徴とする請求項２に記載の地図情報提供装置。
【請求項５】
前記道路は、複数種類存在し、
前記詳細地図生成手段は、第１種類道路と第２種類道路との交差部分において、前記第１種類道路を第２種類道路上に表示した前記詳細地図画像及び前記第２種類道路を前記第１種類道路上に表示した前記詳細地図画像を前記詳細地図ファイルに含めることを特徴とする請求項１乃至４のいずれか一項に記載の地図情報提供装置。
【請求項６】
前記地図情報提供装置は、所定のネットワークと介してカメラ装置と接続されており、
前記端末装置からの交通映像ファイル取得要求により指定された前記カメラ装置を識別するカメラ設置位置情報保持手段と、
前記カメラ装置に対して、交通映像情報の取得要求を行い、前記交通映像情報を取得する交通映像情報取得手段と、
前記交通映像情報を編集し、所定ファイル形式の交通映像ファイルを生成する交通映像ファイル生成手段と、
前記交通映像ファイルを前記端末装置へ送信する交通映像ファイル送信手段と、をさらに備えることを特徴とする請求項１乃至５のいずれか一項に記載の地図情報提供装置。
【請求項７】
端末装置とネットワークを介して通信可能に接続され、地図情報を提供するコンピュータによって実行される地図情報提供プログラムであって、
地図情報を記憶する地図情報記憶手段と、
前記地図情報に基づいて、道路形状を有する広域地図画像を含む所定ファイル形式の広域地図ファイルを生成する広域地図生成手段と、
前記地図情報に基づいて、前記広域地図画像を分割した詳細地図画像を含む所定ファイル形式の詳細地図ファイルを生成する詳細地図生成手段と、
前記広域地図ファイル及び前記詳細地図ファイルを記憶する地図ファイル記憶手段と、
前記端末装置の取得要求に応じて、前記広域地図ファイル及び前記詳細地図ファイルを送信する地図ファイル送信手段、として前記コンピュータを機能させ、
前記詳細地図生成手段は、前記広域地図画像にない前記地図情報を詳細地図画像に含めることを特徴とする地図情報提供プログラム。
【請求項８】
請求項７に記載の地図情報提供プログラムを記憶したことを特徴とする記憶媒体。
【発明の詳細な説明】
【技術分野】
【０００１】
本発明は、広域地図及び詳細地図に関する情報を提供する技術に関する。
【背景技術】
【０００２】
従来、地図情報を表示する装置には、現在地周辺の渋滞状況を表示する車載地図情報表示装置（例えば、特許文献１参照）や画面上に表示している地図画像の一部領域が選択されると、選択された領域を拡大して表示する携帯電話装置等がある（例えば、特許文献２参照）。
【０００３】
【特許文献１】特許２６６９１７５号公報
【特許文献２】特開２００３−１７８３１８号公報
【発明の開示】
【発明が解決しようとする課題】
【０００４】
特許文献１のような車載地図情報表示装置は、現在地周辺の渋滞情報を表示しているのみであり、特許文献２のような携帯電話装置は、最初に表示している地図画像の一部を拡大表示しているに過ぎない。よって、上記の装置が提供する各種地図情報は、利用者にとって情報量が十分でないという問題点があった。
【０００５】
本発明が解決しようとする課題としては、上記のものが例として挙げられる。本発明の目的は、初期表示した地図画像の一部領域が選択された場合に、当該領域について有用性のある地図情報を提供する地図情報提供装置を提供することにある。
【課題を解決するための手段】
【０００６】
請求項１に記載の発明は、端末装置とネットワークを介して通信可能に接続され、地図情報を提供する地図情報提供装置であって、地図情報を記憶する地図情報記憶手段と、前記地図情報に基づいて、道路形状を有する広域地図画像を含む所定ファイル形式の広域地図ファイルを生成する広域地図生成手段と、前記地図情報に基づいて、前記広域地図画像を分割した詳細地図画像を含む所定ファイル形式の詳細地図ファイルを生成する詳細地図生成手段と、前記広域地図ファイル及び前記詳細地図ファイルを記憶する地図ファイル記憶手段と、前記端末装置の取得要求に応じて、前記広域地図ファイル及び前記詳細地図ファイルを送信する地図ファイル送信手段と、を備え、前記詳細地図生成手段は、前記広域地図画像にない前記地図情報を詳細地図画像に含めることを特徴とする。
【０００７】
請求項７に記載の発明は、端末装置とネットワークを介して通信可能に接続され、地図情報を提供するコンピュータによって実行される地図情報提供プログラムであって、地図情報を記憶する地図情報記憶手段と、前記地図情報に基づいて、道路形状を有する広域地図画像を含む所定ファイル形式の広域地図ファイルを生成する広域地図生成手段と、前記地図情報に基づいて、前記広域地図画像を分割した詳細地図画像を含む所定ファイル形式の詳細地図ファイルを生成する詳細地図生成手段と、前記広域地図ファイル及び前記詳細地図ファイルを記憶する地図ファイル記憶手段と、前記端末装置の取得要求に応じて、前記広域地図ファイル及び前記詳細地図ファイルを送信する地図ファイル送信手段、として前記コンピュータを機能させ、前記詳細地図生成手段は、前記広域地図画像にない前記地図情報を詳細地図画像に含めることを特徴とする。
【発明を実施するための最良の形態】
【０００８】
本発明の好適な実施形態では、地図情報を提供する地図情報提供装置は、端末装置とネットワークを介して通信可能に接続され、地図情報を記憶する地図情報記憶手段と、前記地図情報に基づいて、道路形状を有する広域地図画像を含む所定ファイル形式の広域地図ファイルを生成する広域地図生成手段と、前記地図情報に基づいて、前記広域地図画像を分割した詳細地図画像を含む所定ファイル形式の詳細地図ファイルを生成する詳細地図生成手段と、前記広域地図ファイル及び前記詳細地図ファイルを記憶する地図ファイル記憶手段と、前記端末装置の取得要求に応じて、前記広域地図ファイル及び前記詳細地図ファイルを送信する地図ファイル送信手段と、を備え、前記詳細地図生成手段は、前記広域地図画像にない前記地図情報を詳細地図画像に含める。
【０００９】
上記の地図情報提供装置は、所定のエリア（例えば、東京の都心等）の主要道路間の接続状態を表す広域地図画像を地図情報に基づいて生成し、当該広域地図画像を含む所定ファイル形式（例えば、Ｗｅｂコンテンツ作成プログラムであるＦＬＡＳＨ（登録商標）によって作成されたファイル）の広域地図ファイルを生成する。そして、地図情報提供装置は、前記広域地図画像の表示範囲を複数に分割（例えば、９分割）した詳細地図画像を前記地図情報に基づいて生成し、当該詳細地図画像を含む所定ファイル形式（例えば、ＦＬＡＳＨによって作成されたファイル）の詳細地図ファイルを生成する。なお、地図情報提供装置は、前記広域地図画像に含まれていない地図情報（例えば、交差点のカメラ設置位置や道路名称等）を前記詳細地図画像に含める。そして、地図情報提供装置は、端末装置（例えば、携帯電話等）からの送信要求に応じて、前記広域地図ファイルや前記詳細地図ファイルを送信する。
【００１０】
これにより、地図情報提供装置は、端末装置に対して、広域地図画像及び詳細地図画像を表示させることができる。そして、詳細地図画像には、広域地図画像の表示領域の一部を拡大表示しただけでなく、広域地図画像には含まれていない地図情報が含まれている。
【００１１】
よって、利用者は、広域地図画像を利用している場合、所定のエリア全体の概要を把握することができ、詳細地図画像を利用している場合は、エリアの一部を拡大した状態で利用できるだけでなく、広域地図画像を利用しただけでは、得ることができない情報を取得することができる。
【００１２】
すなわち、地図情報提供装置は、初期表示用の地図画像である広域地図画像の一部領域が選択された場合に、広域地図画像にはない情報を有する詳細地図画像を提供することにより、有用性のある地図情報を提供できる。
【００１３】
上記の地図情報提供装置の一態様では、前記詳細地図生成手段は、前記詳細地図画像の表示領域の外側の所定範囲内に、追加対象物がある場合、前記詳細地図画像の表示領域に前記追加対象物を示す追加対象物情報を含むように調整する。これによれば、地図情報提供装置は、詳細地図画像の表示領域の外側の所定範囲内の追加対象物を詳細地図画像の表示領域に含めるので、単純に広域地図画像を等分割した領域を詳細地図画像の表示領域とする場合に比して、より利用者にとって有用性のある詳細地図画像を提供することができる。
【００１４】
上記の地図情報提供装置の一態様では、前記追加対象物情報は、道路の分岐、交差点及びランドマークを含む。この場合、地図情報提供装置は、例えば、詳細地図画像の表示領域の外側の所定範囲内にある道路分岐部分を追加対象物情報として詳細地図画像に含むようにする。従って、地図情報提供装置は、単純に広域地図画像を等分割した領域を詳細地図画像の表示領域とする場合に比して、より利用者にとって有用性のある詳細地図画像を提供することができる。
【００１５】
上記の地図情報提供装置の一態様では、前記地図情報提供装置は、所定のネットワークを介して交通情報提供装置と接続されており、前記交通情報提供装置から交通情報を取得する交通情報取得手段をさらに備え、前記詳細地図生成手段は、前記交通情報に基づいて、前記詳細地図画像に渋滞領域及び混雑領域を付加し、前記追加対象物は、前記渋滞領域又は前記混雑領域に該当する道路を含む。
【００１６】
これによれば、地図情報提供装置は、交通情報提供装置から取得した交通情報に基づいて前記詳細地図画像に前記渋滞領域及び混雑領域を付加し、前記詳細地図画像の表示領域の外側の所定範囲内に前記渋滞領域又は前記混雑領域が存在する場合、前記詳細地図画像の表示領域に前記渋滞領域又は混雑領域を含めることになる。従って、地図情報提供装置は、単純に広域地図画像を等分割した領域を詳細地図画像の表示領域とする場合に比して、より利用者にとって有用性のある詳細地図画像を提供することができる。
【００１７】
上記の地図情報提供装置の一態様では、前記道路は、複数種類存在し、前記詳細地図生成手段は、第１種類道路と第２種類道路との交差部分において、前記第１種類道路が第２種類道路の上を通る前記詳細地図画像及び前記第２種類道路が前記第１種類道路の上を通る前記詳細地図画像を前記詳細地図ファイルに含める。これによれば、２種類の詳細地図画像を利用することができる。つまり、利用者は、利用しやすい詳細地図画像を選択して利用することができる。
【００１８】
上記の地図情報提供装置の一態様では、前記地図情報提供装置は、所定のネットワークと介してカメラ装置と接続されており、前記端末装置からの交通映像ファイル取得要求により指定された前記カメラ装置を識別するカメラ設置位置情報保持手段と、前記カメラ装置に対して、交通映像情報の取得要求を行い、前記交通映像情報を取得する交通映像情報取得手段と、前記交通映像情報を編集し、所定ファイル形式の交通映像ファイルを生成する交通映像ファイル生成手段と、前記交通映像ファイルを前記端末装置へ送信する交通映像ファイル送信手段と、をさらに備える。よって、地図情報提供装置１１は、道路状況をより確実に把握可能な映像ファイルを提供することができる。
【００１９】
本発明の他の観点では、端末装置とネットワークを介して通信可能に接続され、前記端末装置からの取得要求に応じて、道路形状を有する広域地図画像を含む所定ファイル形式の広域地図ファイル及び前記広域地図画像を分割した詳細地図画像を含む所定ファイル形式の詳細地図ファイルを提供するコンピュータによって実行される地図情報提供プログラムであって、地図情報を記憶する地図情報記憶手段と、前記地図情報に基づいて前記広域地図ファイルを生成する広域地図生成手段と、前記地図情報に基づいて前記詳細地図ファイルを生成する詳細地図生成手段と、前記広域地図ファイル及び前記詳細地図ファイルを記憶する地図ファイル記憶手段と、前記端末装置の取得要求に応じて、前記広域地図ファイル及び前記詳細地図ファイルを送信する地図ファイル送信手段、として前記コンピュータを機能させ、前記詳細地図生成手段は、前記広域地図画像にない前記地図情報を詳細地図画像に含める。このプログラムを、コンピュータ上で実行することにより、上記の地図情報提供装置を実現することができる。
【実施例】
【００２０】
以下、図面を参照して本発明の好適な実施例について説明する。
【００２１】
［地図情報提供システム］
図１に、本発明の実施例に係る地図情報提供システム１００の構成を示す。図１に示すように、地図情報提供システム１００は、携帯電話１、地図情報提供装置１１、道路交通情報提供装置４０、駐車場情報提供装置６０、複数のカメラ装置７０を備え、それぞれがネットワーク５０で接続されている。
【００２２】
携帯電話１は、送受信部２、表示部３、入力部４及び制御部５を備える。送受信部２は、地図情報提供装置１１へ各種情報の送信要求を行ったり、地図情報提供装置１１から送信される所定の地図データを受信したりする。表示部３は、利用者が入力部４を操作した結果や、地図情報提供装置１１から取得した各種情報等を表示する。入力部４は、例えば、テンキー等である。利用者は、入力部４を操作し、各種情報を取得することができる。そして、制御部５は、携帯電話１全体を統括制御する。
【００２３】
地図情報提供装置１１は、制御部１２、記憶部１３、交通情報取得部１４、広域地図生成部１５、詳細地図生成部１６、カメラ設置位置情報保持部１７、送受信部１８、カメラデータ取得部１９、カメラデータ編集部２０、駐車場位置情報保持部２１、駐車場情報取得部２２、及び駐車場情報編集部２３を備える。制御部１２は、地図情報提供装置１１全体を統括制御する。
【００２４】
記憶部１３は、地図データと、当該地図データを道路に対して着目した広域図である広域デフォルメ地図画像２５０と、当該広域デフォルメ地図画像２５０の一部について拡大した詳細デフォルメ地図画像２５２とを保持する。また、当該広域デフォルメ地図画像２５０を含むファイルや当該詳細デフォルメ地図画像２５２を含むファイルも保持する。
【００２５】
ここで、広域デフォルメ地図画像２５０とは、図２（ａ）に示すように、ある大きなエリア（例えば、東京の都心等）に関する道路を表す地図画像である。なお、道路には、図２（ａ）の太線で示す高速道路１２０と、図２（ａ）の細線で示す一般道路１２１とがある。また、広域デフォルメ地図画像２５０には、後述する交通情報取得部１４が取得した交通情報に基づいて表示される混雑領域１０１や渋滞領域１０２が含まれる。このように、携帯電話１の利用者は、この広域デフォルメ地図画像２５０を参照すれば、ある一定のエリアの各道路の関連を一覧することができる。
【００２６】
また、広域デフォルメ地図画像２５０を９分割した個々の領域について、広域デフォルメ地図画像を拡大した地図画像を詳細デフォルメ地図画像２５２とする。図２（ｂ）に詳細デフォルメ地図画像２５２の例を示す。
【００２７】
詳細デフォルメ地図画像２５２には、高速道路１２０、一般道路１２１、混雑領域１０１及び渋滞領域１０２以外に、前記地図データから取得した道路名称１０５、後述するカメラ設置位置情報保持部１７が保持するカメラ設置位置情報に基づいて表示されるカメラアイコン１１０等も含まれる。
【００２８】
このように、各道路について、広域デフォルメ地図画像２５０に含まれない情報（道路名称１０５及びカメラアイコン１１０）を詳細デフォルメ地図画像２５２に含めることにより、携帯電話１の利用者は、単に広域地図画像を拡大表示した詳細地図画像を利用する場合に比して、利用者にとって有益な情報を取得することができる。
【００２９】
交通情報取得部１４は、ネットワーク５０を介して道路交通情報提供装置４０から最新の交通情報を取得する。ここで道路交通情報提供装置４０とは、渋滞情報等、各種交通情報を提供する装置であり、具体的には、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）センター等である。また、交通情報取得部１４は、約５分間毎に道路交通情報提供装置４０に対して取得要求を行い、交通情報を取得している。これは、道路交通情報提供装置４０が約５分毎に交通情報を更新するからである。このように、交通情報取得部１４は、最新の交通情報を取得できる。
【００３０】
広域地図生成部１５は、記憶部１３が保持している地図データから広域デフォルメ地図画像２５０を生成し、当該広域デフォルメ地図画像２５０を含むファイル（以下、広域地図ファイルとも呼ぶ）を生成する。なお、本実施例における、上記広域地図ファイルは、ＦＬＡＳＨで生成され、記憶部１３に保存される。
【００３１】
詳細地図生成部１６は、記憶部１３が保持している広域デフォルメ地図画像２５０の一部分を拡大した詳細デフォルメ地図画像２５２を生成したり、交通情報取得部１４が交通情報を取得したタイミングで当該詳細デフォルメ地図画像２５２を更新したりする。
【００３２】
そして、詳細地図生成部１６は、詳細デフォルメ地図画像２５２を含むファイル（以下、詳細地図ファイルとも呼ぶ）を生成する。なお、本実施例においては、上記詳細地図ファイルは、ＦＬＡＳＨで生成され、記憶部１３に保存されるものとする。
【００３３】
カメラ設置位置情報保持部１７は、カメラ装置７０（例えば、ＩＰカメラ等）の設置位置に関する情報を所定の形式（リスト形式等）で保持している。
【００３４】
送受信部１８は、各種データの送受信を行う。具体的には、送受信部１８は、道路交通情報提供装置４０やカメラ装置７０等から送信されるデータを取得したり、広域デフォルメ地図画像２５０を携帯電話１へ送信したりする。カメラデータ取得部１９は、所定のカメラ装置７０から交通状況の映像を取得する。カメラデータ編集部２０は、カメラデータ取得部１９が取得した交通状況の映像を携帯電話１へ送信するために適切な形式に編集する。
【００３５】
駐車場位置情報保持部２１は、駐車場の設置位置に関する情報を所定の形式（リスト形式等）で保持している。駐車場情報取得部２２は、駐車場情報提供装置６０からネットワーク５０を介して、所定の駐車場の駐車状態情報（満室、空室等）を所得する。ここで、駐車場情報提供装置６０は、駐車場の駐車状態情報を保持する装置であり、具体的には、サーバ等である。
【００３６】
駐車場情報編集部２３は、駐車場情報取得部２２が取得した駐車場の駐車状態情報に基づいて、記憶部１３が保持している地図データから駐車状態を示す地図画像を生成する。
【００３７】
以上の構成を有する本実施例においては、記憶部１３が地図情報記憶手段及び地図ファイル記憶手段として機能する。送受信部１８が地図ファイル送信手段及び交通映像ファイル送信手段として機能し、カメラデータ取得部１９が交通映像取得手段として機能し、カメラデータ編集部２０が交通映像ファイル生成手段として機能する。地図データが地図情報に対応し、広域デフォルメ地図画像２５０が広域地図画像に対応し、詳細デフォルメ地図画像２５２が詳細地図画像に対応する。高速道路１２０が第１種類道路に対応し、一般道路１２１が第２種類道路に対応する。
【００３８】
［広域デフォルメ地図画像と詳細デフォルメ地図画像との対応関係］
ここで、図３を用いて、本実施例における広域デフォルメ地図画像２５０と詳細デフォルメ地図画像２５２との対応関係について説明する。
【００３９】
前述の通り、詳細デフォルメ地図画像２５２は、広域デフォルメ地図画像２５０を９分割した地図画像である。ここで、本発明の１つの例では、図３（ａ）に示す広域デフォルメ地図画像２５０と詳細デフォルメ地図画像２５１Ａ〜２５１Ｉのように、各詳細デフォルメ地図画像２５１が広域デフォルメ地図画像２５０の９等分になる関係とすることができる。また、他の例では、図３（ｂ）に示す広域デフォルメ地図画像２５０と詳細デフォルメ地図画像２５２Ａ〜２５２Ｉのように、詳細地図生成部１６は、所定の条件に該当する場合に、詳細デフォルメ地図画像２５２の表示領域範囲を広域デフォルメ地図画像２５０の９等分した範囲とは異なる範囲に定めることができる。
【００４０】
例えば、詳細地図生成部１６は、広域デフォルメ地図画像２５０を９等分した所定の詳細デフォルメ地図画像２５２の表示領域の外側の所定範囲内に表示すべき追加対象物（例えば道路の分岐など）がある場合に、詳細デフォルメ地図画像２５２に当該追加対象物を示す追加対象物情報が表示できるように表示範囲を変更する。ここで、「表示領域の外側の所定範囲」とは、例えば詳細デフォルメ地図画像２５２を、その本来のサイズに対して縦横方向にそれぞれ所定の割合（例えば１０％など）で拡大した範囲をいう。また、追加対象物とは、例えば上記の道路の分岐の他、大きな交差点、地理上の目印になるような施設、建物などのランドマークなどを含む。また、追加対象物として、通常の道路であっても、上記の混雑領域又は渋滞領域に該当する道路を表示するようにしてもよく、さらには上記のカメラアイコン２を追加対象物としてもよい。こうすることにより、混雑領域、渋滞領域及びカメラアイコンなどの、広域デフォルメ地図画像には含まれないが詳細デフォルメ地図画像には含まれる情報を、より効果的に表示することができる。なお、広域デフォルメ地図画像２５０を９等分した所定の詳細デフォルメ地図画像２５２の表示領域の外側の所定範囲内に表示すべき追加対象物がない場合、詳細地図生成部１６は、詳細デフォルメ地図画像２５２の表示範囲を変更しなくても良い。
【００４１】
図３（ｃ）に、そのような変更により得られる詳細デフォルメ地図画像２５２の例を示す。この例では、広域デフォルメ地図画像２５０を９等分に分割した場合における境界線１３１の右側に高速道路１２０の分岐点がある。よって、詳細地図生成部１６は、詳細デフォルメ地図画像２５２に、高速道路１２０の分岐点を含む追加対象物情報１３２が含まれるように編集する。
【００４２】
これにより、地図情報提供装置１１は、単純に広域デフォルメ地図画像２５０を９等分して得られる詳細デフォルメ地図画像２５１を提供する場合に比して、利用者にとって有用性のある詳細デフォルメ地図画像２５２を提供することができる。
【００４３】
［詳細デフォルメ地図画像の編集］
次に、図４を用いて、本実施例における詳細デフォルメ地図画像２５２の編集について説明する。
【００４４】
最初に図４（ａ）に示すように、予め詳細地図生成部１６が詳細デフォルメ地図画像２５２を生成しており、当該詳細デフォルメ地図画像２５２を記憶部１３に保存している。そして、所定のタイミングで、交通情報取得部１４が道路交通情報提供装置４０から交通情報（ＶＩＣＳデータ）を取得する。
【００４５】
次に、図４（ｂ）に示すように、詳細地図生成部１６は、前記交通情報に基づいて前記詳細デフォルメ地図画像２５２に対して、混雑領域１０１や渋滞領域１０２を追加する。そして、詳細地図生成部１６は、詳細デフォルメ地図画像２５２を含む詳細地図ファイルを生成する。また、広域デフォルメ地図画像２５０については、広域地図生成部１５が同様の手順で広域地図ファイルを生成している。
【００４６】
なお、上記の詳細デフォルメ地図ファイルに対して、図５に示すような、高速道路１２０と一般道路１２１の交差部分１３３がある場合、詳細地図生成部１６は、高速道路１２０が一般道路１２１の上に交差する詳細デフォルメ地図画像２５２と、一般道路１２１が高速道路１２０の上に交差する詳細デフォルメ地図画像２５３を含めても良い。
【００４７】
これにより、携帯電話１の利用者は、所定の操作を行なえば、２種類の詳細デフォルメ地図画像（詳細デフォルメ地図画像２５２と詳細デフォルメ地図画像２５３）を利用することができる。つまり、利用者は、高速道路と一般道路のうち、関心の高い方を選択して表示させることが可能となる。また、広域地図ファイルに複数の広域デフォルメ地図画像を含めても良い。
【００４８】
［交差点の映像情報提供］
次に、図６を用いて、交差点の映像情報提供について説明する。
【００４９】
交差点の映像情報提供とは、携帯電話１の要求に応じて、地図情報提供装置１１が、道路付近のカメラ装置７０から当該道路付近の映像データを取得し、当該映像データを携帯電話１へ送信する処理のことである。
【００５０】
まず、携帯電話１からの広域地図ファイル取得要求に応じて、地図情報提供装置１１が広域地図ファイルを携帯電話１に対して送信すると、携帯電話１は、広域地図ファイル内の広域デフォルメ地図画像２５０を表示部３に表示する。そして、利用者が入力部４に対する所定の操作を行うと、図６（ａ）に示すように、広域デフォルメ地図画像２５０の一部の領域が選択状態（斜線で示すフォーカス部分１４０がある状態）になる。
【００５１】
そして、広域デフォルメ地図画像２５０の一部の領域が選択状態にある場合に、利用者が入力部４に対して所定の操作（例えば、「決定キー」押下等）を行うと、携帯電話１の制御部５は、フォーカス部分１４０がある領域に対応する詳細デフォルメ地図画像２５２を有する詳細地図ファイルの取得要求を地図情報提供装置１１に対して行う。
【００５２】
地図情報提供装置１１は、携帯電話１の要求に応じて、詳細地図ファイルを携帯電話１へ送信する。そして、携帯電話１は、詳細地図ファイルを受信すると、詳細地図ファイル内の詳細デフォルメ地図画像２５２を表示部３へ表示する。
【００５３】
そして、利用者が入力部４に対する所定の操作を行うと、図６（ｂ）に示すように、所定のカメラアイコン１１０が選択状態（フォーカス部分１４１がある状態）になる。
【００５４】
カメラアイコン１１０が選択状態にある場合に、利用者が入力部４に対して所定の操作（例えば、「決定キー」押下等）を行うと、携帯電話１の制御部５は、フォーカス部分１４１に対応するカメラ装置７０の映像データの送信要求を地図情報提供装置１１に対して行う。
【００５５】
地図情報提供装置１１は、携帯電話１の要求に応じて、取得要求対象のカメラ装置７０を、カメラ設置位置情報保持部１７から特定する。カメラデータ取得部１９は、特定したカメラ装置７０に対して、映像データの取得要求をし、カメラ装置７０から映像データを取得する。カメラデータ編集部２０は、取得した映像データを編集（撮影時間の短縮等）し、当該映像データを含むファイル（以下「映像ファイル」とも呼ぶ）を生成する。そして、地図情報提供装置１１は、映像ファイルを携帯電話１へ送信する。
【００５６】
携帯電話１は、取得した映像ファイル内の映像データを再生し、再生内容を表示部３へ表示する。ここで、図６（ｃ）に再生内容２６０の例を示す。
【００５７】
このように、携帯電話１の利用者は、選択した位置の交通状態を映像データの形式で確認できる。
【００５８】
［駐車場の駐車状態情報の提供］
次に、図７を用いて、駐車場の駐車状態情報の提供について説明する。
【００５９】
ここで、駐車場の駐車状態情報の提供とは、携帯電話１の要求に応じて、地図情報提供装置１１が、駐車場情報提供装置６０から駐車状態情報を取得し、当該駐車状態情報を反映した地図画像を携帯電話１へ送信する処理のことである。
【００６０】
まず、携帯電話１が表示部３に詳細デフォルメ地図画像２５２を表示している状態において、利用者が入力部４に対して所定の操作を行うと、携帯電話１は、メニュー一覧を表示する。
【００６１】
携帯電話１の利用者が入力部４へ操作した結果、駐車場メニューが選択されると、携帯電話１は、駐車状態地図画像取得要求を地図情報提供装置１１に対して行う。
【００６２】
地図情報提供装置１１は、携帯電話１から駐車状態地図画像取得要求を受信すると、取得要求対象の駐車場を、駐車場位置情報保持部２１から特定する。駐車場情報取得部２２は、駐車場情報提供装置６０から、特定した駐車場に関する駐車状態情報を取得する。駐車場情報編集部２３は、記憶部１３の地図データに、駐車場情報取得部２２が取得した駐車状態情報を付加した駐車状態地図画像２６１を生成する。そして、地図情報提供装置１１は、送受信部１８を介して当該駐車状態地図画像２６１を携帯電話１へ送信する。
【００６３】
携帯電話１は、取得した駐車状態地図画像２６１を表示部３へ表示する。駐車状態地図画像２６１には、駐車場アイコン１６０が配置されている。また、駐車場アイコン１６０は、駐車場アイコン１６０Ａ〜駐車場アイコン１６０Ｃに示すように駐車状態（満室、空室等）に応じて色分けされている。携帯電話１は、所定の入力操作により（例えば、上下キー押下）駐車場アイコン１６０が選択されると、広域駐車状態地図画像２６１ａに示すように、選択された駐車場アイコン１６０を選択駐車場アイコン１６１へと変更する。
【００６４】
また、携帯電話１は、利用者による入力操作（例えば、「＊」キー押下）により、広域駐車状態地図画像２６１ａ、中域駐車状態地図画像２６１ｂ、詳細駐車状態地図画像２６１ｃ、広域駐車状態地図画像２６１ａという順に駐車状態地図画像２６１を切替る。
【００６５】
そして、携帯電話１は、選択駐車場アイコン１６１を表示している状態において、利用者の入力操作（例えば、「決定キー」押下等）が行われると、選択駐車場アイコン１６１に対応する駐車場の詳細情報を地図情報提供装置１１から取得し、駐車場の詳細情報を含む駐車場詳細情報画面２６２を表示部３へ表示する。
【００６６】
このように、利用者は、上記駐車状態地図画像２６１を利用することにより、所定の地域にある複数の駐車場の駐車状態を一覧することができ、さらに、所定の駐車場の詳細情報も参照することができる。
【００６７】
［地図画像の編集処理］
次に、地図画像（広域デフォルメ地図画像２５０及び詳細デフォルメ地図画像２５２）の編集処理について、図８のフローチャートを用いて説明する。
【００６８】
ここで地図画像の編集処理とは、広域デフォルメ地図画像２５０及び詳細デフォルメ地図画像２５２に対して交通情報を付加し、広域地図ファイル及び詳細地図ファイルを再生成する処理である。
【００６９】
地図情報提供装置１１の交通情報取得部１４が、道路交通情報提供装置４０に対して交通情報取得要求を行うと（ステップＳ１）、道路交通情報提供装置４０が交通情報を地図情報提供装置１１に対して交通情報を送信する（ステップＳ１１）。
【００７０】
交通情報取得部１４が道路交通情報提供装置４０から受信した交通情報を取得すると、広域地図生成部１５は、既に生成済みの広域デフォルメ地図画像２５０に対して、上記交通情報を付加する（ステップＳ２）。ここでいう交通情報の付加とは、渋滞個所の色分けを意味する。
【００７１】
そして、広域地図生成部１５は、上記広域デフォルメ地図画像２５０を含む広域地図ファイルを生成し、当該広域地図ファイルを記憶部１３に保存する（ステップＳ３）。これにより、地図情報提供装置１１は、最新の交通情報を反映した広域地図ファイルを保持することができる。
【００７２】
次に、詳細地図生成部１６は、既に生成済みの詳細デフォルメ地図画像２５２に対して、交通情報取得部１４が取得した交通情報を付加する（ステップＳ４）。
【００７３】
詳細地図生成部１６は、現状の詳細デフォルメ地図画像２５２の表示領域の少し外側の範囲に渋滞情報がある場合、当該渋滞情報が含まれるように詳細デフォルメ地図画像２５２の表示範囲を調整する（ステップＳ５）。
【００７４】
そして、詳細地図生成部１６は、上記詳細デフォルメ地図画像２５２を含む詳細地図ファイルを生成し、当該詳細地図ファイルを記憶部１３に保存し（ステップＳ６）、地図情報提供装置１１は、地図画像の編集処理を終了する。これにより、地図情報提供装置１１は、最新の交通情報を反映した詳細地図ファイルを保持することができる。
【００７５】
また、地図情報提供装置１１は、交通情報が更新されるタイミングで広域地図ファイル及び詳細地図ファイルを作成している。これにより、携帯電話１から取得要求された時点で、広域地図ファイルや詳細地図ファイルを生成する場合に比して、早く広域地図ファイルや詳細地図ファイルを携帯電話１へ送信することができる。
【００７６】
［広域地図ファイル及び詳細地図ファイルの送受信処理］
次に、広域地図ファイル及び詳細地図ファイルの送受信処理について図９のフローチャートを用いて説明する。
【００７７】
携帯電話１は、利用者の入力操作に応じて、広域地図ファイルの取得要求を地図情報提供装置１１に行う（ステップＳ２１）。地図情報提供装置１１は、携帯電話１から広域地図ファイルの取得要求を受信すると、記憶部１３に保存している広域地図ファイルを携帯電話１へ送信する（ステップＳ３１）。
【００７８】
携帯電話１は、広域地図ファイルを取得すると、当該広域地図ファイルの広域デフォルメ地図画像２５０を表示部３へ表示する（ステップＳ２２）。携帯電話１の利用者が入力部４に対する所定の操作を行った結果、図６（ａ）のように、広域デフォルメ地図画像２５０の一部の領域が選択状態にある場合に、利用者が入力部４に対して所定の操作（例えば、「決定キー」押下等）を行うと、携帯電話１の制御部５は、フォーカス部分１４０がある領域に対応する詳細デフォルメ地図画像２５２を有する詳細地図ファイルの取得要求を地図情報提供装置１１に対して行う（ステップＳ２３）。
【００７９】
地図情報提供装置１１は、携帯電話１から詳細地図ファイルの取得要求を受信すると、記憶部１３に保存している詳細地図ファイルを携帯電話１へ送信する（ステップＳ３２）。
【００８０】
携帯電話１は、詳細地図ファイルを取得すると、当該詳細地図ファイルの詳細デフォルメ地図画像２５２を表示部３へ表示する（ステップＳ２４）。そして、地図情報提供システム１００は、広域地図ファイル及び詳細地図ファイルの送受信処理を終了する。
【００８１】
上記の広域地図ファイル及び詳細地図ファイルの送受信処理において、地図情報提供装置１１が携帯電話１へ送信する詳細地図ファイル内の詳細デフォルメ地図画像２５２は、広域デフォルメ地図画像２５０にはない道路名称１０５及びカメラアイコン１１０を有している。これにより、利用者は、広域デフォルメ地図画像２５０を利用している場合、所定のエリア（広域デフォルメ地図画像２５０の表示範囲）全体の概要を把握することができ、詳細デフォルメ地図画像２５２を利用している場合は、前記エリアの一部を拡大した状態で利用できるだけでなく、広域デフォルメ地図画像２５０を利用しただけでは、得ることができない情報を取得することができる。
【００８２】
また地図情報提供装置１１は、詳細デフォルメ地図画像２５２の表示範囲の外側の所定範囲内に道路の分岐などの対象物がある場合に、詳細デフォルメ地図画像２５２に当該対象物を含めるようにしている。これにより、例えば、分岐位置付近で渋滞が発生している場合に、当該分岐で渋滞を回避できるか否かを利用者に判断させることができる。つまり、地図情報提供装置１１は、より有用性のある詳細デフォルメ地図画像２５２を利用者へ提供することができる。
【００８３】
そして、携帯電話１の利用者は、所定のカメラアイコン１１０を選択することにより、当該カメラアイコン１１０に対応するカメラ装置７０で撮影した映像ファイルを参照することができる。これにより、地図情報提供装置１１は、利用者の操作により選択された個所の道路状況をより確実に把握可能な映像ファイルを提供することができる。
【００８４】
また、地図情報提供装置１１は、交通情報を取得した際に、詳細デフォルメ地図画像２５２の表示範囲の外側の所定範囲内に渋滞情報がある場合、当該渋滞情報が詳細デフォルメ地図画像２５２の表示範囲に入るように編集している。これにより、地図情報提供装置１１は、利用者にとってより有用性のある詳細デフォルメ地図画像２５２を提供することができる。
【００８５】
上述の実施例では、詳細地図生成部１６は、高速道路１２０及び一般道路１２１が交差する場合において、高速道路１２０が一般道路１２１の上に交差する詳細デフォルメ地図画像２５２と、一般道路１２１が高速道路１２０の上に交差する詳細デフォルメ地図画像２５３とを詳細地図ファイルに含める場合について述べたが、本発明は、これに限られず、道路名称１０５を表示する詳細デフォルメ地図画像や道路名称１０５を表示しない詳細デフォルメ地図画像を詳細地図ファイルに含めても良い。
【００８６】
ここで、図１０に、「高速道路１２０が一般道路１２１の上に交差し、道路名称１０５が非表示状態である」詳細デフォルメ地図画像２５４と、「高速道路１２０が一般道路１２１の上に交差し、高速道路名称１０５Ａ及び一般道路名称１０５Ｂが共に表示状態である」詳細デフォルメ地図画像２５５と、「一般道路１２１が高速道路１２０の上に交差し、高速道路名称１０５Ａが非表示状態で、一般道路名称１０５Ｂが表示状態である」詳細デフォルメ地図画像２５６と、「一般道路１２１が高速道路１２０の上に交差し、道路名称１０５が非表示状態である」詳細デフォルメ地図画像２５７とを示す。
【００８７】
詳細地図生成部１６が上記詳細デフォルメ地図画像２５４〜前記詳細デフォルメ地図画像２５７を詳細地図ファイルに含めれば、前記詳細地図ファイルを取得した携帯電話１が、利用者による所定の入力操作（例えば、「＊」キー押下）に応じて、前記詳細デフォルメ地図画像２５４〜前記詳細デフォルメ地図画像２５７を表示切替することができる。
【００８８】
上述の実施例では、カメラ設置位置情報保持部１７がカメラ装置７０の設置位置（緯度経度等）を保持する場合について述べたが、本発明は、これに限られず、記憶部１３が保持している地図データにカメラ装置７０の設置位置の情報を含めても良い。
【００８９】
上述の実施例では、詳細デフォルメ地図画像２５２にカメラアイコン１１０や道路名称１０５を含める場合について述べたが、本発明は、これに限られず、他の種々の地図情報を詳細デフォルメ地図画像２５２に含めても良い。
【００９０】
上述の実施例では、地図情報提供装置１１がＦＬＡＳＨを使用することにより、広域地図ファイル及び詳細地図ファイルを作成する場合について述べたが、本発明は、これに限られず、地図情報提供装置１１が他のＷｅｂコンテンツ作成プログラムで広域地図ファイル及び詳細地図ファイルを作成するようにしても良い。
【００９１】
上述の実施例では、端末装置として携帯電話１を適用する場合について述べたが、本発明は、これに限られず、ＰＤＡ（Ｐｅｒｓｏｎａｌ  Ｄｉｇｉｔａｌ  Ａｓｓｉｓｔａｎｔｓ）等、種々の装置を端末装置として適用しても良い。
【００９２】
上述の実施例では、携帯電話１の要求に応じて、カメラデータ取得部１９が、特定したカメラ装置７０に対して、映像データの取得要求をし、カメラ装置７０から映像データを取得する場合について述べたが、本発明は、これに限られず、カメラ装置７０が所定のタイミングでカメラデータ取得部１９へ映像データを送信することにより、カメラデータ取得部１９が映像データを取得するようにしても良い。
【００９３】
上述の実施例では、携帯電話１の要求に応じて、駐車場情報取得部２２が駐車場情報提供装置６０から、特定した駐車場に関する駐車状態情報を取得する場合について述べたが、本発明は、これに限られず、所定のタイミングで駐車場情報取得部２２が駐車場情報提供装置６０から各駐車場に関する駐車状態情報を取得しても良い。
【００９４】
上述の実施例では、駐車場情報取得部２２が駐車状態情報を取得し、当該駐車状態情報を付加した駐車状態地図画像２６１を生成する場合について述べたが、本発明は、これに限られず、駐車場情報取得部２２が駐車状態情報と、当該駐車状態情報に対応する駐車場の詳細情報とを取得し、当該駐車状態情報と当該駐車場の詳細情報とを付加した駐車状態地図画像２６１を生成しても良い。
【００９５】
上述の実施例では、駐車場詳細情報画面２６２の背景色について、特に定めていなかったが、駐車状態（満車、空車等）に応じて背景色が異なるようにしても良い。
【図面の簡単な説明】
【００９６】
【図１】地図情報提供システムの概略構成を示すブロック図である。
【図２】デフォルメ地図画像の例である。
【図３】広域デフォルメ地図画像と詳細デフォルメ地図画像の関係を示す概念図である。
【図４】詳細デフォルメ地図画像編集の概要図である。
【図５】詳細地図ファイルに含む詳細デフォルメ地図画像の例である。
【図６】道路付近の映像ファイル表示例である。
【図７】駐車場情報の表示例である。
【図８】地図画像の編集処理のフローチャートである。
【図９】広域地図ファイル及び詳細地図ファイルの送受信処理のフローチャートである。
【図１０】他の実施例における詳細地図ファイルに含む詳細デフォルメ地図画像の例である。
【符号の説明】
【００９７】
１  携帯電話
１１  地図情報提供装置
１２  制御部
１３  記憶部
１５  広域地図生成部
１６  詳細地図生成部
４０  道路交通情報提供装置
５０  ネットワーク
６０  駐車場情報提供装置
７０  カメラ装置
１００  地図情報提供システム
【図１】
2008165033.tif 000003
【図２】
2008165033.tif 000004
【図３】
2008165033.tif 000005
【図４】
2008165033.tif 000006
【図５】
2008165033.tif 000007
【図６】
2008165033.tif 000008
【図７】
2008165033.tif 000009
【図８】
2008165033.tif 000010
【図９】
2008165033.tif 000011
【図１０】
2008165033.tif 000012